(57)【要約】【課題】刈幅が走行車体幅より広く構成された刈取部を、姿勢変更させて車体幅内に収めるようにし、狭い道路での走行やトラック輸送を容易に行えるものとする。【解決手段】刈取部（４）の刈幅が走行車体（１）の幅よりも広く構成された多条刈コンバインにおいて、車体一側に前後方向に伸縮移動可能な伸縮移動手段（１８）を設け、前記刈取部（４）は、伸縮移動手段（１８）に刈取懸架台（１３）を介して昇降可能に支持すると共に上下方向の縦軸芯（２３）回りに回動可能に支持し、該刈取部（４）を伸縮移動手段（１８）によって前方に移動させた状態で前記縦軸芯（２３）回りに回動させ、前向き姿勢から横向き姿勢に姿勢変更して走行車体（１）の幅内に収納できる構成とする。【選択図】      図３
2010029132.tif 000002
【特許請求の範囲】
【請求項１】
穀稈を刈り取って脱穀部（３）に搬送供給する刈取部（４）の刈幅が走行車体（１）の幅よりも広く構成された多条刈コンバインにおいて、車体一側に前後方向に伸縮移動可能な伸縮移動手段（１８）を設け、前記刈取部（４）は、伸縮移動手段（１８）に刈取懸架台（１３）を介して昇降可能に支持すると共に上下方向の縦軸芯（２３）回りに回動可能に支持し、該刈取部（４）を伸縮移動手段（１８）によって前方に移動させた状態で前記縦軸芯（２３）回りに回動させ、前向き姿勢から横向き姿勢に姿勢変更して走行車体（１）の幅内に収納できる構成としたことを特徴とする多条刈コンバイン。
【発明の詳細な説明】
【技術分野】
【０００１】
この発明は、多条刈の刈取部で穀稈を刈り取り、脱穀部に搬送供給して脱穀する多条刈コンバインに関するものである。
【背景技術】
【０００２】
従来、例えば、特許文献１に示されているように、穀稈を刈り取って脱穀部に搬送供給する刈取部と、刈取部を昇降制御する昇降手段と、刈取部を左右に回動させる回動フレームとが一体的に縦軸芯回りに回動するように設けて、メンテナンスの容易化を図るようにした構成ものが開示されている。
【特許文献１】特開２００４−２４０６６号公報
【発明の開示】
【発明が解決しようとする課題】
【０００３】
一般に、刈取部の刈幅が走行車体幅より幅広く構成された多条刈コンバインにあっては、狭い道路での運行やトラック輸送が困難であり、特に、トラック輸送に際しては刈取部をコンバイン本体から取り外して別個に積み込まなければならない問題があった。
【０００４】
本発明の課題は、上記問題点を解消し、同時にメンテナンスも容易に行える多条刈コンバインの刈取部回動収納装置を提供することにある。
【課題を解決するための手段】
【０００５】
この発明は、上記課題を解決すべく次のような技術的手段を講じた。
すなわち、穀稈を刈り取って脱穀部（３）に搬送供給する刈取部（４）の刈幅が走行車体（１）の幅よりも広く構成された多条刈コンバインにおいて、車体一側に前後方向に伸縮移動可能な伸縮移動手段（１８）を設け、前記刈取部（４）は、伸縮移動手段（１８）に刈取懸架台（１３）を介して昇降可能に支持すると共に上下方向の縦軸芯（２３）回りに回動可能に支持し、該刈取部（４）を伸縮移動手段（１８）によって前方に移動させた状態で前記縦軸芯（２３）回りに回動させ、前向き姿勢から横向き姿勢に姿勢変更して走行車体（１）の幅内に収納できる構成としたことを特徴とする多条刈コンバインとする。
【０００６】
刈取部（４）を伸縮移動手段（１８）によって所定位置より前方に移動させれば、刈取部（４）の刈取搬送終端部が脱穀部（３）のフィードチェン始端部から前方に離間する。そして、刈取部（４）を上下方向の縦軸芯（２３）を支点として略９０°回動させると、刈取部（４）は通常の前向き姿勢の状態から横向き姿勢の状態に姿勢変更されて、刈取部（４）全体が走行車体（１）の幅内に収められる。
【発明の効果】
【０００７】
本発明によれば、車体一側に設けた伸縮移動手段（１８）により刈取部（４）を前方に移動させ、上下方向の縦軸芯（２３）回りに回動させることによって刈取部（４）が通常の前向き姿勢から横向き姿勢に姿勢変更されることになるので、刈幅が走行車体（１）の幅よりも広く構成された多条刈のコンバインでありながら、刈取部（４）を走行車体（１）の幅内に収めることができ、狭い道路での運行やトラック輸送等が容易に行える。また、この際、刈取部（４）全体を前方に大きく移動させるので、脱穀部（３）の前側に設置された各装置のメンテナンスはもとより、その横側部のエンジンやその周辺のメンテナンスも容易に行うことができる。
【発明を実施するための最良の形態】
【０００８】
この発明の実施例を図面に基づき説明する。
図１は、コンバインの側面図を示すものであり、この走行車体１には、左右一対の走行クローラ２，２を備え、後部に搭載した脱穀装置（脱穀部）３の前方部に刈取部４を設置し，刈取部４の横側部には運転席５や操作ボックス６等を有する運転操作部を備え、更に、その運転操作部の後方には脱穀粒を一時的に貯留するグレンタンクＧを装備している。
【０００９】
刈取部４は、立毛する穀稈を左右に分草する分草体７、分草後の穀稈を引き起す引起し装置８、引起し後の穀稈を刈り取るバリカン式の刈取装置９、刈取後の穀稈を後方の脱穀部３まで揚上搬送して脱穀フィードチェン１１に受け継がせる刈取穀稈搬送装置１０等からなり、刈取懸架台１３に対して上下に昇降可能で前後方向に沿わせて設けた刈取縦フレーム１６及び該刈取縦フレームの先端に左右横方向に沿わせて設けた刈取横フレーム１７に装備している。なお、この実施例における刈取装置９の刈幅Ｄ１は、７条以上の穀稈を刈り取ることのできる刈幅を保有してあり、走行車体幅Ｄ２よりも広く（図２参照）なっている。
【００１０】
刈取縦フレーム１６は、刈取懸架台１３上において左右横方向に架設された刈取入力軸１４を支点として上下回動する構成であり、刈取懸架台１３と刈取縦フレーム１６間に連結する刈取昇降シリンダ１５の伸縮作動によって刈取部４が昇降するようになっている。
走行車体１の一側（実施例では左側）には、前後方向に伸縮移動可能な伸縮移動手段１８を設けて、刈取部４を前後方向にスライド移動させるように構成している。
【００１１】
伸縮移動手段１８は、図３及び図４に示す実施例では、走行フレームを兼ねた前後方向に沿うレール台１９と、このレール台１９内を前後方向に伸縮スライド移動する前後スライドレール２０とからなり、そして、前後スライドレール２０の前端部には前記刈取懸架台１３をコの字型金具１２を介して装着支持する構成としている。また、レール台１９とスライドレール２０との間にはローラ２１を介装してスライドレールが手動でも軽くスライド移動するようにしている。レール台１９に対するスライドレール２０の固定はピン２２にて行うように構成している。
【００１２】
刈取懸架台１３は、スライドレール２０の移動に伴って刈取部と一緒に前後動する構成とし、そして、この前方への移動距離は、刈取部の向きを変更するとき、刈取部が本機側と干渉しない位置まで移動させる範囲内にあればよい。また、刈取懸架台１３は、スライドレール２０に対して上下方向の縦軸芯２３回りに回動可能に装着し、刈取部４が図２に示す前向き姿勢と図３に示す横向き姿勢とに姿勢変更できるように構成している。
【００１３】
上記の構成例は、刈取部の姿勢変更を手動操作によって行うものであるが、図７及び図８に示すように、刈取懸架台の前後移動手段として、油圧により前後方向に伸縮作動する前後伸縮シリンダ２４によって行うように構成してもよく、また、縦軸芯２３回りにおける刈取部の姿勢変更手段として、刈取回動シリンダ２５の伸縮作動によって行うように構成することもできる。
【００１４】
なお、刈取懸架台の前後移動並びに左右回動は、モータの駆動によりラック・ピニオン機構を介して作動させる手段を採用するものであってもよい。
図９〜図１２に示す実施例は、刈取懸架台１３の左右両端部に、該刈取懸架台が左右方向に回動可能な支点軸Ｐ１，Ｐ２を設け、メンテナンス時には、刈取懸架台１３は、左端の支点軸Ｐ１を回動中心として左側に回動させて刈取部４を図１０の状態から図１１の状態にオープンする。また、車体幅内収納時には、刈取懸架台１３は、左側にオープン後、右端の支点軸Ｐ２を中心として右回りに１８０°回動させて刈取部を図１２のように姿勢変更して車体幅内に収納することができる。
【００１５】
また、他の実施例として、刈取部４は、刈取懸架台１３の左端に設けた上下方向の支点軸Ｐを支点として左右に回動する構成とし、刈取懸架台はパンタグラフ状のリンク機構又はモータ駆動によるラック・ピニオン機構或いは図１３及び図１４に示す前後伸縮シリンダ２４により前方に移動する構成とする。そして、刈取懸架台を前方に移動させた後、支点軸Ｐを中心として右回りに９０°回動させれば、上記実施例（図１０〜図１２）と同様に、刈取部は右横向き状態に姿勢変更して車体幅内に収納することができる。
【００１６】
なお、刈取部先端の各分草体７…は上下方向或いは左右方向に折り畳むことができれば刈取部収納時の左右幅を縮小することができる。
【図面の簡単な説明】
【００１７】
【図１】コンバインの側面図
【図２】コンバイン要部の平面図
【図３】同上要部の平面図
【図４】同上要部の正面図
【図５】伸縮移動手段の側面図
【図６】同上正断面図
【図７】コンバイン要部の平面図
【図８】同上要部の正面図
【図９】コンバイン要部の側面図
【図１０】同上要部の平面図
【図１１】同上要部の平面図
【図１２】同上要部の平面図
【図１３】別実施例のコンバイン要部の平面図
【図１４】同上要部の平面図
【符号の説明】
【００１８】
１    走行車体
３    脱穀部
４    刈取部
１３    刈取懸架台
１８    伸縮移動手段
１９    レール台
２０    前後スライドレール
２３    縦軸芯
２４    前後伸縮シリンダ
２５    刈取回動シリンダ
【図１】
2010029132.tif 000003
【図２】
2010029132.tif 000004
【図３】
2010029132.tif 000005
【図４】
2010029132.tif 000006
【図５】
2010029132.tif 000007
【図６】
2010029132.tif 000008
【図７】
2010029132.tif 000009
【図８】
2010029132.tif 000010
【図９】
2010029132.tif 000011
【図１０】
2010029132.tif 000012
【図１１】
2010029132.tif 000013
【図１２】
2010029132.tif 000014
【図１３】
2010029132.tif 000015
【図１４】
2010029132.tif 000016